(57)【要約】【課題】フィルムロールの荷重が増大しても、機体の進行方向での重量バランスを適切に保ちながら、接地輪や接地輪よりも後方側部位にかかる荷重を極力小さくすること。【解決手段】機体５には、耕耘を行う耕耘部６と、耕耘された土を用いて畝を成形する畝成形部７と、フィルムロール８１からマルチフィルム８２を繰り出して畝１０を被覆するように敷設するマルチフィルム敷設部８と、機体５を支持自在な接地輪９とが備えられ、機体５の進行方向において、前方側から、耕耘部６、畝成形部７の順に配置され、接地輪９は、機体５の進行方向で耕耘部６よりも後方側に配置され、フィルムロール８１は、その重心が機体５の進行方向において接地輪９と重複しない状態で接地輪９よりも前方側になるように配置されている。【選択図】図２
2018113871.tif 000002
【特許請求の範囲】
【請求項１】
機体には、耕耘を行う耕耘部と、耕耘された土を用いて畝を成形する畝成形部と、フィルムロールからマルチフィルムを繰り出して畝を被覆するように敷設するマルチフィルム敷設部と、前記機体を支持自在な接地輪とが備えられ、
前記機体の進行方向において、前方側から、前記耕耘部、前記畝成形部の順に配置され、
前記接地輪は、前記機体の進行方向で前記耕耘部よりも後方側に配置され、
前記フィルムロールは、その重心が前記機体の進行方向において前記接地輪と重複しない状態で前記接地輪よりも前方側になるように配置されているマルチ作業機。
【請求項２】
前記フィルムロールは、その重心が前記機体の進行方向において前記畝成形部よりも前方側になるように配置されている請求項１に記載のマルチ作業機。
【請求項３】
前記フィルムロールの重心が前記機体の進行方向において前記耕耘部と前記畝成形部との間に位置して、前記フィルムロールが前記耕耘部及び前記畝成形部よりも上方側に配置されている請求項２に記載のマルチ作業機。
【請求項４】
前記機体は、前記耕耘部を備えた前方側ユニットと、前記接地輪と前記畝成形部とを備えた後方側ユニットとに分離自在に構成され、
前記フィルムロールは、前記前方側ユニット側に支持される状態で備えられている請求項１〜３の何れか１項に記載のマルチ作業機。
【請求項５】
前記マルチフィルム敷設部は、チューブロールから潅水用チューブを繰り出して畝の上面に敷設する状態で前記マルチフィルムにて畝を被覆するように敷設自在に構成され、
前記チューブロールは、前記機体の進行方向において前記耕耘部と重複する位置で、前記耕耘部と間隔を隔てて前記耕耘部の上方側に配置され、
前記フィルムロールは、前記チューブロールの下方側に入り込んだ状態で配置されている請求項１〜４の何れか１項に記載のマルチ作業機。
【請求項６】
前記耕耘部の上方側と前記畝成形部の上方側とに亘って前後方向に延びる左右一対の第１支持フレームと、それら左右一対の第１支持フレームの夫々から上方側に延設された左右一対の第２支持フレームとが備えられ、
前記フィルムロールは、左右一対の前記第２支持フレームに亘る状態で支持されている請求項１〜５の何れか１項に記載のマルチ作業機。
【請求項７】
前記フィルムロールの外周部に当接して前記フィルムロールに制動力を付与するブレーキ部が備えられている請求項１〜６の何れか１項に記載のマルチ作業機。
【請求項８】
前記ブレーキ部は、前記フィルムロールの外周部に当接する状態で回転自在なローラーと、そのローラーの側面部に当接して前記ローラーに制動力を付与する制動力付与部材とを備え、
前記ローラーにおいて前記フィルムロールの外周部に当接する当接部位が弾性体にて構成されている請求項７に記載のマルチ作業機。
【発明の詳細な説明】
【技術分野】
【０００１】
本発明は、機体の進行により畝を成形してその畝を被覆するようにマルチフィルムを敷設するマルチ作業機に関する。
【背景技術】
【０００２】
上記のようなマルチ作業機は、例えば、耕耘を行う耕耘部、耕耘された土を用いて畝を成形する畝成形部と、フィルムロールからマルチフィルムを繰り出して畝を被覆するように敷設するマルチフィルム敷設部とが備えられている（例えば、特許文献１、２参照。）。マルチ作業機は、例えば、トラクタ等の後部に昇降自在に装着されており、トラクタを走行させて機体を進行させることで、マルチ作業機が、畝を成形してその畝にマルチフィルムを敷設する作業を行う。
【０００３】
特許文献１に記載のマルチ作業機における各部の配置位置については、機体の進行方向で前方側から、耕耘部、畝成形部の順に配置されている。そして、マルチ作業機の機体を支持する接地輪が畝成形部の横側部に配置されており、機体の進行方向では接地輪の配置位置が畝成形部の中央部となっている。また、フィルムロールは、機体の進行方向において、接地輪の後半部と重複する位置で且つ畝成形部の後半部の上方側に配置されている。
【０００４】
特許文献２に記載のマルチ作業機における各部の配置位置については、機体の進行方向で前方側から、耕耘部、畝成形部の順に配置されている。マルチ作業機の機体を支持する接地輪が畝成形部の横側部に配置されており、機体の進行方向では接地輪の配置位置が畝成形部の後端部となっている。また、フィルムロールは、機体の進行方向において、接地輪の前半部と重複する位置で且つ畝成形部の後半部の上方側に配置されている。
【先行技術文献】
【特許文献】
【０００５】
【特許文献１】特開２００９−２２５７０６号公報
【特許文献２】特許第３７２７６１８号公報
【発明の概要】
【発明が解決しようとする課題】
【０００６】
マルチ作業機を用いて作業を行うに当たり、圃場の面積が大きくなる等により、マルチフィルムの敷設対象面積が大きくなった場合に、フィルムロールにおけるマルチフィルムの巻き数を増大させて対応することが考えられる。しかしながら、フィルムロールの重量が増大することになるので、マルチフィルムの巻き数を増大させるだけではなく、機体の進行方向での重量バランスを考慮することが必要となる。
【０００７】
上述のようなマルチ作業機では、耕耘部における耕耘軸を回転駆動させるための動力伝達部等が備えられ、この動力伝達部等が重量物となっていることから、マルチ作業機の重心が機体の進行方向で耕耘部付近に位置している。よって、重量が増大するフィルムロールの配置位置が耕耘部から離れた位置になると、機体の進行方向での重量バランスが崩れることになり、例えば、マルチ作業機を昇降できなくなる等の問題が発生する虞がある。
【０００８】
また、マルチ作業機は耕耘部よりも後方側に位置する接地輪により支持されていることから、機体の進行方向での重量バランスを取るためには、フィルムロールと接地輪との配置位置の関係も重要となる。例えば、マルチ作業機において接地輪よりも後方側部位にかかる荷重が大きくなると、マルチ作業機の姿勢が不安定になる等の問題が発生する虞がある。また、接地輪に対して過大な荷重がかかると、接地輪が過剰に沈み込んだり、接地輪の耐久性の問題が生じる虞もある
【０００９】
上記特許文献１に記載のマルチ作業機では、フィルムロールが、機体の進行方向において、接地輪の後半部と重複する位置で且つ畝成形部の後半部の上方側に配置されているので、フィルムロールの配置位置が耕耘部から離れた位置となっており、機体の進行方向での重量バランスが崩れる可能性がある。しかも、フィルムロールの配置位置が機体の進行方向で接地輪の後半部と重複する位置となっているので、接地輪又はそれよりも後方側部位にかかる荷重が大きくなり易く、それに伴う問題が生じる可能性がある。
【００１０】
上記特許文献２に記載のマルチ作業機では、フィルムロールが、機体の進行方向において接地輪の前半部と重複する位置で且つ畝成形部の後半部の上方側に配置されているので、フィルムロールの配置位置が耕耘部から離れた位置となっており、機体の進行方向での重量バランスが崩れる可能性がある。しかも、フィルムロールの配置位置が機体の進行方向で接地輪の前半部と重複する位置となっているので、接地輪にかかる荷重が大きくなり易く、それに伴う問題が生じる可能性がある。
【００１１】
この実情に鑑み、本発明の主たる課題は、フィルムロールの荷重が増大しても、機体の進行方向での重量バランスを適切なバランスに保ちながら、接地輪又はそれよりも後方側部位にかかる荷重を極力小さくすることができるマルチ作業機を提供する点にある。
【課題を解決するための手段】
【００１２】
本発明の第１特徴構成は、機体には、耕耘を行う耕耘部と、耕耘された土を用いて畝を成形する畝成形部と、フィルムロールからマルチフィルムを繰り出して畝を被覆するように敷設するマルチフィルム敷設部と、前記機体を支持自在な接地輪とが備えられ、
前記機体の進行方向において、前方側から、前記耕耘部、前記畝成形部の順に配置され、
前記接地輪は、前記機体の進行方向で前記耕耘部よりも後方側に配置され、
前記フィルムロールは、その重心が前記機体の進行方向において前記接地輪と重複しない状態で前記接地輪よりも前方側になるように配置されている点にある。
【００１３】
本構成によれば、機体の進行方向で耕耘部よりも後方側に配置される接地輪に対して、フィルムロールの重心を、機体の進行方向において接地輪と重複しない状態で接地輪よりも前方側とすることで、機体の進行方向において、フィルムロールの重心を耕耘部に近づけることができる。よって、フィルムロールの荷重が増大しても、機体の進行方向での重量バランスを適切なバランスに保つことができる。
【００１４】
しかも、フィルムロールの重心が、機体の進行方向において接地輪と重複しない状態で接地輪よりも前方側になるので、フィルムロールの荷重がマルチ作業機において接地輪よりも前方側部位にかかることになる。これにより、フィルムロールの荷重が増大しても、接地輪又はそれよりも後方側部位にかかる荷重が大きくなり難く、接地輪にて機体を適切に支持することができる。
【００１５】
本発明の第２特徴構成は、前記フィルムロールは、その重心が前記機体の進行方向において前記畝成形部よりも前方側になるように配置されている点にある。
【００１６】
本構成によれば、機体の進行方向で耕耘部よりも後方側に配置される畝成形部に対して、フィムルロールの重心を機体の進行方向において畝成形部よりも前方側とすることで、機体の進行方向において、フィルムロールの重心を耕耘部に近づけることができる。よって、フィルムロールの荷重が増大しても、機体の進行方向での重量バランスを適切なバランスに保つことができる。しかも、フィルムロールの荷重が畝成形部にかかり難くなり、例えば、畝成形部が過剰に沈み込んでしまい、所望の高さの畝を適切に成形できない等の問題が発生するのを防止できる。
【００１７】
本発明の第３特徴構成は、前記フィルムロールの重心が前記機体の進行方向において前記耕耘部と前記畝成形部との間に位置して、前記フィルムロールが前記耕耘部及び前記畝成形部よりも上方側に配置されている点にある。
【００１８】
本構成によれば、フィルムロールの重心を機体の進行方向において耕耘部と畝成形部との間に位置させながら、耕耘部及び畝成形部よりも上方側の空間を効果的に活用して、フィルムロールを配置することができる。これにより、フィルムロールの重心を耕耘部に近づけることができながら、他の部材と干渉することなく、フィルムロールを効率よく配置することができる。
【００１９】
本発明の第４特徴構成は、前記機体は、前記耕耘部を備えた前方側ユニットと、前記接地輪と前記畝成形部とを備えた後方側ユニットとに分離自在に構成され、
前記フィルムロールは、前記前方側ユニット側に支持される状態で備えられている点にある。
【００２０】
本構成によれば、機体を前方側ユニットと後方側ユニットとに分離することができるので、マルチ作業機の全ての機能を発揮する状態とマルチ作業機の一部である耕耘部のみの機能を発揮する状態とに必要に応じて使い分けることができる。これにより、マルチ作業機を作業内容に応じて使い分けながら使用することができ、使い勝手のよい作業機となる。そして、フィルムロールは、耕耘部が備えられる前方側ユニットに支持される状態で備えられるので、フィルムロールの重心を耕耘部に適切に近づけることができ、フィルムロールの荷重が増大しても、機体の進行方向での重量バランスを適切なバランスに保つことができる。
【００２１】
本発明の第５特徴構成は、前記マルチフィルム敷設部は、チューブロールから潅水用チューブを繰り出して畝の上面に敷設する状態で前記マルチフィルムにて畝を被覆するように敷設自在に構成され、
前記チューブロールは、前記機体の進行方向において前記耕耘部と重複する位置で、前記耕耘部と間隔を隔てて前記耕耘部の上方側に配置され、
前記フィルムロールは、前記チューブロールの下方側に入り込んだ状態で配置されている点にある。
【００２２】
本構成によれば、マルチフィルム敷設部は、潅水用チューブを畝の上面に敷設する状態でマルチフィルムにて畝を被覆するように敷設するので、成形される畝に対して、マルチフィルムを敷設するだけでなく、潅水用チューブの敷設も行うことができる。そして、チューブロールは、機体の進行方向において耕耘部と重複する位置で、耕耘部と間隔を隔てて耕耘部の上方側に配置されているので、耕耘部の上方側の空間を活用してチューブロールを適切に配置することができる。しかも、フィルムロールは、チューブロールの下方側に入り込んだ状態で配置されているので、フィルムロールも、チューブロールの下方側の空間を活用して適切に配置することができる。これにより、チューブロール及びフィルムロールの夫々を配置する場合であっても、夫々の重心を耕耘部に近づけることができながら、夫々を納まりよく効率的に配置することができる。
【００２３】
本発明の第６特徴構成は、前記耕耘部の上方側と前記畝成形部の上方側とに亘って前後方向に延びる左右一対の第１支持フレームと、それら左右一対の第１支持フレームの夫々から上方側に延設された左右一対の第２支持フレームとが備えられ、
前記フィルムロールは、左右一対の前記第２支持フレームに亘る状態で支持されている点にある。
【００２４】
本構成によれば、左右一対の第１支持フレーム及び左右一対の第２支持フレームによって、フィルムロールを安定した姿勢で強固に支持することができる。これにより、フィルムロールからのマルチフィルムの繰り出しを適切に行うことができ、マルチフィルムの敷設作業を適切に行うことができる。
【００２５】
本発明の第７特徴構成は、前記フィルムロールの外周部に当接して前記フィルムロールに制動力を付与するブレーキ部が備えられている点にある。
【００２６】
本構成によれば、ブレーキ部は、フィルムロールの外周部に当接してフィルムロールに制動力を付与するので、フィルムロールに対する制動力の付与を適切に行うことができる。これにより、フィルムロールからマルチフィルムを繰り出す際に、弛み等が生じ難くなり、フィルムロールからのマルチフィルムの繰り出しを適切に行うことができる。
【００２７】
本発明の第８特徴構成は、前記ブレーキ部は、前記フィルムロールの外周部に当接する状態で回転自在なローラーと、そのローラーの側面部に当接して前記ローラーに制動力を付与する制動力付与部材とを備え、
前記ローラーにおいて前記フィルムロールの外周部に当接する当接部位が弾性体にて構成されている点にある。
【００２８】
本構成によれば、制動力付与部材にてローラーの側面部に当接してローラーに制動力を付与することで、フィルムロールに適切に制動力を付与することができる。しかも、ローラーにおいてフィルムロールの外周部に当接する当接部位が弾性体にて構成されているので、フィルムロールを傷付けることなく、フィルムロールに制動力を付与することができる。
【図面の簡単な説明】
【００２９】
【図１】マルチ作業機をトラクタの後部に装着した状態での側面図
【図２】マルチ作業機の側面図
【図３】マルチ作業機の要部についての模式的な平面図
【図４】マルチ作業機の作業状態を示す図
【図５】前方側ユニットと後方側ユニットとに分離した状態での側面図
【図６】前方側ユニットと後方側ユニットとの連結箇所を示す図
【図７】マルチ作業機の側面図において要部の配置位置を説明するための図
【図８】ブレーキ部を示す斜視図
【発明を実施するための形態】
【００３０】
本発明に係るマルチ作業機の実施形態を図面に基づいて説明する。
このマルチ作業機１は、図１に示すように、トラクタ２の後部に装着自在に構成されている。トラクタ２の後部には、左右一対のロアリンク３とアッパリンク４とからなる３点リンク機構が備えられ、その３点リンク機構にマルチ作業機１が装着自在に構成されている。トラクタ２の後部には、昇降シリンダ等の油圧装置を有する昇降装置（図示省略）が備えられており、その昇降装置により３点リンク機構を昇降させることで、マルチ作業機１を昇降させるように構成されている。
【００３１】
マルチ作業機１の機体５には、図１及び図２に示すように、耕耘を行う耕耘部６と、耕耘された土を用いて断面が台形状の畝１０を成形する畝成形部７と、フィルムロール８１からマルチフィルム８２を繰り出して畝１０を被覆するように敷設するマルチフィルム敷設部８と、機体５を支持自在な接地輪９とが備えられている。
【００３２】
耕耘部６には、図２に示すように、トラクタ２（図１参照）の後部に備えられるＰＴＯ軸（図示省略）からの回転駆動力を伝達させて回転駆動される耕耘軸部６１と、その耕耘軸部６１の回転駆動により耕耘を行う複数の耕耘爪部６２とが備えられている。耕耘軸部６１及び耕耘爪部６２は、マルチ作業機１の機体５における横幅方向（トラクタ２の横幅方向）の全長に亘って備えられている。そして、ＰＴＯ軸の回転駆動力を耕耘軸部６１に伝達する動力伝達部等（図示省略）は、伝動ケース６３に収容されている。図２では図示を省略するが、耕耘部６には、耕耘爪部６２の上方側及び後方側を覆うカバー７４（図６参照）が備えられている。
【００３３】
畝成形部７は、マルチ作業機１の機体５における横幅方向の中央部に備えられている。畝成形部７には、図３及び図７に示すように、畝の上面を成形する上面成形板７１と畝の側面を成形する左右一対の側面成形板７２とが備えられている。ちなみに、図３は、マルチ作業機１において、畝成形部７、接地輪９、フィルムロール８１、チューブロール９０等の配置位置を示す模式的な平面図である。
【００３４】
上面成形板７１は、機体５の進行方向に延びる板状に形成され、機体５の進行方向の後方側（図３及び図７中右側）ほど下方側に位置する傾斜姿勢で設けられている。側面成形板７２は、上下方向に延びる板状に形成され、下方側ほど機体５の横幅方向の外側（図３中上方側及び下方側）に位置する傾斜姿勢で設けられている。
【００３５】
畝成形部７の前方側には、耕耘部６にて耕耘された土を畝成形部７側に寄せる土寄板７３が備えられている。土寄板７３は、左右一対の側面成形板７２の夫々における前端部から機体５の進行方向の前方側に延びる板状に形成され、平面視で機体５の進行方向の前方側ほど外側に広がる傾斜姿勢で設けられている。
【００３６】
図２に戻り、マルチフィルム敷設部８には、マルチフィルム８２が巻回されたフィルムロール８１と、フィルムロール８１から繰り出したマルチフィルム８２を案内する第１中間ガイドローラ８３及び第２中間ガイドローラ８４と、マルチフィルム８２の横幅方向の中央部を畝１０の上面１０ａに敷設させる敷設ローラ８５と、マルチフィルム８２の横幅方向の両端部を踏圧して畝１０の両横側部に敷設させる左右一対の踏圧輪８６と、その踏圧輪８６にて敷設されたマルチフィルム８２の横幅方向の両端部に覆土させる左右一対の覆土輪８７とが備えられている。
【００３７】
第１中間ガイドローラ８３及び第２中間ガイドローラ８４は、マルチフィルム８２の横幅方向の全長に亘る状態で備えられ、フィルムロール８１から繰り出したマルチフィルム８２を畝成形部７にて成形される畝１０の上面１０ａに向けて案内するように構成されている。また、フィルムロール８１と第１中間ガイドローラ８３との間には、フィルムロール８１から繰り出したマルチフィルム８２を上方側に持ち上げ支持する持ち上げ支持部８８が備えられている。マルチフィルム８２は、持ち上げ支持部８８、第１中間ガイドローラ８３、及び、第２中間ガイドローラ８４により、適切なテンションが掛けられた状態で案内されるように構成されている。
【００３８】
敷設ローラ８５は、図４に示すように、畝１０の上面１０ａの横幅の全長に亘る状態で備えられ、マルチフィルム８２を下方側に押圧して畝１０の上面１０ａに敷設させるように構成されている。図４は、マルチ作業機１にてマルチフィルム８２及び潅水用チューブ９１を敷設する作業を行った場合に、斜め後方側から見た画像を示したものである。
【００３９】
踏圧輪８６は、マルチフィルム８２を踏圧することで、フィルムロール８１からマルチフィルム８２を繰り出し自在としており、その踏圧によりマルチフィルム８２を畝１０の両横側部に敷設させている。覆土輪８７は、機体５の進行方向で踏圧輪８６と重複する状態で配置されている。機体５の進行によって、覆土輪８７が畝１０の両横側部に敷設されるマルチフィルム８２の横幅方向の両端部に覆土させることで、畝１０がマルチフィルム８２にて覆われた状態が維持されている。
【００４０】
図２及び図４に示すように、マルチフィルム敷設部８は、畝１０を覆うようにマルチフィルム８２を敷設するだけでなく、チューブロール９０から潅水用チューブ９１を繰り出して畝１０の上面１０ａに敷設する状態でマルチフィルム８２にて畝１０を被覆するように敷設自在に構成されている。マルチフィルム敷設部８には、マルチフィルム８２が巻回されたフィルムロール８１に加えて、潅水用チューブ９１が巻回されたチューブロール９０が備えられている。マルチフィルム敷設部８は、機体５の進行により、チューブロール９０から潅水用チューブ９１を繰り出してマルチフィルム８２の下方側に案内し、敷設ローラ８５によりマルチフィルム８２と共に潅水用チューブ９１を畝１０の上面１０ａに敷設することで、潅水用チューブ９１が上面１０ａに敷設された畝１０を覆うようにマルチフィルム８２を敷設している。
【００４１】
マルチ作業機１の機体５は、図５及び図６に示すように、耕耘部６を備えた前方側ユニット１１と、接地輪９と畝成形部７とを備えた後方側ユニット１２とに分離自在に構成されている。前方側ユニット１１の後端部には、その横幅方向の両端部に後方側ユニット１２との連結箇所となる前方側連結部１３が備えられ、後方側ユニット１２の前端部には、その横幅方向の両端部に前方側ユニット１１との連結箇所となる後方側連結部１４が備えられている。そして、前方側連結部１３と後方側連結部１４とを連結することで、前方側ユニット１１と後方側ユニット１２とが一体的に連結され、前方側連結部１３と後方側連結部１４との連結を解除することで、前方側ユニット１１と後方側ユニット１２とが分離自在となっている。
【００４２】
前方側連結部１３は、上下方向に延びる板状体にて構成され、上方側を開放した凹状の溝部１５が形成されている。後方側連結部１４は、機体５の横幅方向に間隔を隔てた２枚の板状体にて構成され、２枚の板状体に亘る状態で棒状体１６が備えられている。後方側連結部１４における２枚の板状体の間に前方側連結部１３を嵌め込み、棒状体１６を溝部１５に係合させ、図外の固定具等で前方側連結部１３と後方側連結部１４とを固定することで、前方側ユニット１１と後方側ユニット１２とが連結自在に構成されている。
【００４３】
前方側ユニット１１には、図２及び図５に示すように、機体５の横幅方向に延びる第１横機枠１０１と、耕耘部６の上方側と畝成形部７の上方側とに亘って機体５の進行方向（前後方向）に延びる左右一対の第１支持フレーム１１１と、それら左右一対の第１支持フレーム１１１の夫々から上方側に延設された左右一対の第２支持フレーム１１２と、上下方向に延びる左右一対の第３支持フレーム１１３が備えられている。
【００４４】
第１横機枠１０１は、機体５の横幅方向において耕耘部６の全長に亘る状態で備えられ、伝動ケース６３、耕耘爪部６２を覆うカバー７４（図６参照）等の耕耘部６を支持するように構成されている。第１支持フレーム１１１は、機体５の横幅方向の両端部に相当する位置に配置され、耕耘爪部６２を覆うカバー７４（図６参照）等から後方側に延設する状態で備えられている。第２支持フレーム１１２は、第１支持フレーム１１１の後方側部位から上方側に延びるように配置されており、フィルムロール８１が左右一対の第２支持フレーム１１２に亘る状態で支持されている。第３支持フレーム１１３は、機体５の横幅方向の中央部において、耕耘爪部６２を覆うカバー７４（図６）等から上方側に延びるように配置されており、チューブロール９０が左右一対の第３支持フレーム１１３に亘る状態で支持されている。このように、耕耘部６に加えて、チューブロール９０及びフィルムロール８１が前方側ユニット１１側に支持される状態で備えられている。
【００４５】
後方側ユニット１２には、図２及び図５に示すように、機体５の横幅方向に延びる第２横機枠１０２と、機体５の横幅方向に延びる第３横機枠１０３とが備えられ、第３横機枠１０３は、第２横機枠１０２よりも後方側で且つ上方側に配置されている。そして、第２横機枠１０２と第３横機枠１０３とは、機体５の進行方向（前後方向）に延びる連結部材１２０にて連結されている。この連結部材１２０は、機体５の横幅方向の両端部に相当する位置に配置され、第２横機枠１０２の両端部と第３横機枠１０３の両端部とを連結するように構成されている。
【００４６】
第２横機枠１０２の両端側部位の夫々には、図２及び図５に示すように、下方側に延びる第４支持フレーム１１４が連結され、その第４支持フレーム１１４にて、畝成形部７における側面成形板７２、及び、接地輪９が支持されている。図示は省略するが、畝成形部７における上面成形板７１も、第１中間ガイドローラ８３も、第２横機枠１０２に連結された支持フレームにて支持されている。第２横機枠１０２の両端側部位の夫々には、後方側に延びる第５支持フレーム１１５が連結され、その第５支持フレーム１１５にて踏圧輪８６及び覆土輪８７が支持されている。ちなみに、第５支持フレーム１１５は、複数の支持フレームを連結して構成されており、踏圧輪８６及び覆土輪８７を支持する支持フレームが他の支持フレームに揺動自在に枢支連結されている。よって、例えば、踏圧輪８６及び覆土輪８７を使用しないとき等には、踏圧輪８６及び覆土輪８７を支持する支持フレームを上方側に揺動させることで、踏圧輪８６及び覆土輪８７を圃場よりも上方側に退避した位置に移動可能となっている、
【００４７】
第３横機枠１０３の中央部には、図２及び図５に示すように、後方側に延びたのち、下方側に延びる第６支持フレーム１１６が連結され、その第６支持フレーム１１６にて、第２中間ガイドローラ８４及び敷設ローラ８５が支持されている。
【００４８】
以下、図３及び図７に基づいて、マルチ作業機１における耕耘部６、チューブロール９０、フィルムロール８１、畝成形部７、及び、接地輪９の配置位置について説明する。
【００４９】
図７に示すように、機体５の進行方向において、前方側（図７中左側）から、耕耘部６、畝成形部７の順に配置されている。そして、接地輪９は、図３に示すように、畝成形部７の両横側部に配置されており、機体５の進行方向では、図７に示すように、接地輪９の配置位置が耕耘部６よりも後方側となっている。そして、フィルムロール８１の配置位置については、図３及び図７に示すように、フィルムロール８１の重心Ｇ１が、機体５の進行方向において接地輪９と重複しない状態で接地輪９よりも前方側で、且つ、機体５の進行方向において畝成形部７よりも前方側になるように配置されている。
【００５０】
また、フィルムロール８１の配置位置については、図７に示すように、フィルムロール８１の重心Ｇ１が機体５の進行方向において耕耘部６と畝成形部７との間に位置して、フィルムロール８１が耕耘部６及び畝成形部７よりも上方側に配置されている。例えば、耕耘部６の耕耘軸部６１の中心と接地輪９の中心との間を、前半部Ｐ１と中間部Ｐ２と後半部Ｐ３との３つの領域に均等に区分けした場合には、フィルムロール８１の重心Ｇ１が後半部Ｐ３よりも前方側となる前半部Ｐ１又は中間部Ｐ２にフィルムロール８１の重心Ｇ１が位置するように、フィルムロール８１が配置されている。
【００５１】
フィルムロール８１の配置位置を上述のような位置とすることで、マルチ作業機１において接地輪９よりも後方側部位にかかる荷重が大きくなり難く、接地輪９にてマルチ作業機１の機体５を適切に支持することができる。また、ＰＴＯ軸からの回転駆動力を動力伝達部等が重量物となっていることから、マルチ作業機１の重心が耕耘部６付近となっている。そこで、フィルムロール８１の配置位置を上述のような位置とすることで、機体５の進行方向において、フィルムロール８１の重心を耕耘部６に近づけることができ、フィルムロール８１の巻き数の増大によりフィルムロール８１の荷重が増大しても、機体５の進行方向での重量バランスを適切なバランスに保つことができる。
【００５２】
チューブロール９０は、図３に示すように、機体５の横幅方向において中央部に配置されている。そして、チューブロール９０は、図７に示すように、機体５の進行方向において耕耘部６と重複する位置で、耕耘部６と間隔を隔てて耕耘部６の上方側に配置されている。これにより、チューブロール９０と耕耘部６との間に間隙が形成されていることから、フィルムロール８１は、チューブロール９０の下方側に入り込んだ状態で配置されている。
【００５３】
このように、チューブロール９０及びフィルムロール８１の夫々を配置する場合であっても、チューブロール９０及びフィルムロール８１の夫々の重心を耕耘部６に近づけることができながら、チューブロール９０及びフィルムロール８１の夫々を納まりよく効率的に配置することができる。よって、チューブロール９０を備えることでその荷重が増大し、更に、フィルムロール８１の巻き数の増大によりフィルムロール８１自体の荷重が増大しても、機体５の進行方向での重量バランスを適切なバランスに保つことができる。
【００５４】
マルチ作業機１には、図２及び図８に示すように、フィルムロール８１の外周部に当接してフィルムロール８１に制動力を付与するブレーキ部２０が備えられている。ちなみに、図８は、マルチ作業機１の右側部から見たときの要部を示す斜視図である。ブレーキ部２０は、図３に示すように、機体５の横幅方向において、チューブロール９０よりも右側に配置されており、中央部に配置されるチューブロール９０から横側部に外れた位置に備えられている。ブレーキ部２０は、図２及び図８に示すように、フィルムロール８１の外周部に当接する状態で回転自在なローラー２１と、そのローラー２１の側面部に当接してローラー２１に制動力を付与する制動力付与部材２２とを備えている。
【００５５】
機体５には、図２及び図８に示すように、耕耘部６の上方側から斜め後方側に延びる第７支持フレーム１１７が備えられ、その第７支持フレーム１１７の先端部（後端部）にローラー２１が回転自在に支持されている。そして、ローラー２１は、フィルムロール８１の上方側に配置され、フィルムロール８１の外周部のうち、上方側部位に当接するように構成されている。
【００５６】
第７支持フレーム１１７の基端部（前端部）は、図８に示すように、機体５における第１支持フレーム１１１よりも後方側部位に対して、機体５の横幅方向に沿う軸心周りで回動自在に連結されている。そして、第７支持フレーム１１７とその連結箇所との間にバネ部２５が配置され、第７支持フレーム１１７を下方側に揺動させるように付勢力が付与されている。これにより、バネ部２５による付勢力によって、ローラー２１をフィルムロール８１の外周部に押し当てる側に力が作用するように構成されている。
【００５７】
第７支持フレーム１１７の先端部には、ハンドル部２４が延設されている。そして、作業者等がハンドル部２４を持って、第７支持フレーム１１７を前方上方側に揺動させることで、フィルムロール８１の外周部に対するローラー２１の当接を解除して、フィルムロール８１から離れた位置にローラー２１を位置させることができるようになっている。
【００５８】
制動力付与部材２２は、ローラー２１の側面部に当接自在な円盤状に形成されており、左右一対の制動力付与部材２２がローラー２１を挟み込む状態で備えられている。そして、図示は省略するが、制動力付与部材２２とバネ座との間に圧縮バネを備えることで、左右一対の制動力付与部材２２に挟持力を付与して、左右一対の制動力付与部材２２をローラー２１の側面部に押し当てるように構成されている。
【００５９】
図８に示すように、ローラー２１においてフィルムロール８１の外周部に当接する当接部位が弾性体２３にて構成されている。弾性体２３は、筒状に形成されたスポンジ体又はゴム体にて構成されており、ローラー２１の外周部に外嵌して備えられている。
【００６０】
〔別実施形態〕
（１）上記実施形態において、フィルムロール８１は、フィルムロール８１の重心Ｇ１が、機体５の進行方向において接地輪９と重複しない状態で接地輪９よりも前方側で、且つ、機体５の進行方向において畝成形部７よりも前方側になるように配置すればよい。つまり、接地輪９に対してフィルムロール８１の重心Ｇ１をどの程度前方側とするかは適宜変更が可能であり、また、畝成形部７に対してフィルムロール８１の重心Ｇ１をどの程度前方側とするかは適宜変更が可能である。例えば、例えば、フィルムロール８１の重心Ｇ１が耕耘部６と重複するように、フィルムロール８１を配置することもできる。
【００６１】
（２）上記実施形態では、マルチフィルム敷設部８は、畝１０に対して、マルチフィルム８２だけでなく、潅水用チューブ９１も敷設するようにしているが、チューブロール９０を省略して、マルチフィルム敷設部８は、畝１０に対して、マルチフィルム８２のみを敷設するように構成することもできる。この場合には、例えば、フィルムロール８１を、機体５の進行方向において耕耘部６と重複する位置に配置することもできる。
【００６２】
（３）上記実施形態では、マルチ作業機１の機体５を、前方側ユニット１１と後方側ユニット１２とに分離自在としているが、例えば、前方側ユニット１１と後方側ユニット１２とに分離不能として、マルチ作業機１の機体５を一体物として構成することもできる。
【００６３】
（４）上記実施形態では、フィルムロール８１の外周部に当接してフィルムロール８１に制動力を付与するブレーキ部２０を備えているが、ブレーキ部の構成については、この構成に限るものではなく、フィルムロール８１に制動力を付与できるものであればよい。
【００６４】
（５）上記実施形態では、マルチ作業機１をトラクタ２の後部に昇降自在に装着した例を示したが、他の牽引車の後部にマルチ作業機１を装着することもでき、マルチ作業機１を牽引するのはトラクタ２に限るものではない。
【符号の説明】
【００６５】
１          マルチ作業機
５          機体
６          耕耘部
７          畝成形部
８          マルチフィルム敷設部
９          接地輪
１０        畝
１１        前方側ユニット
１２        後方側ユニット
２０        ブレーキ部
２１        ローラー
２２        制動力付与部材
２３        弾性体
８１        フィルムロール
８２        マルチフィルム
９０        チューブロール
９１        潅水用チューブ
Ｇ１        フィルムロールの重心
【図１】
2018113871.tif 000003
【図２】
2018113871.tif 000004
【図３】
2018113871.tif 000005
【図４】
2018113871.tif 000006
【図５】
2018113871.tif 000007
【図６】
2018113871.tif 000008
【図７】
2018113871.tif 000009
【図８】
2018113871.tif 000010